【事件の表示】
　平成　８年特許願第１７０３３６号「遊戯機」拒絶査定不服審判事件〔平成１０年　１月２０日出願公開、特開平１０−　１５１７５〕について、次のとおり審決する。
【結　論】
　本件審判の請求は、成り立たない。
【理　由】
第１．手続の経緯　 
　本願は、平成８年６月２８日の出願であって、平成１９年３月２日付の拒絶理由通知に対して同年４月２７日付で意見書及び手続補正書が提出され、これに対し、同年７月３１日付で拒絶査定がなされ、これに対し、同年９月６日付で拒絶査定不服の審判が請求されるとともに、同年１０月２日付で手続補正がなされたものである。
　当審においては、平成２０年１２月３日付の審尋に対して、平成２１年１月２７日付で回答書が提出されている。
　
　
第２．平成１９年１０月２日付の手続補正についての補正却下の決定
〔補正却下の決定の結論〕
　平成１９年１０月２日付の手続補正（以下、「本件補正」という。）を却下する。
　
［理由］
【１】本件補正の内容と補正の適否
　本件補正により、特許請求の範囲の請求項１は、平成１９年４月２７日付手続補正により補正された特許請求の範囲の請求項１乃至４に記載された
「【請求項１】　始動入賞口への入賞又は通過により、大当たりか外れかの抽選を行う場合に、図柄を変動させ、前記抽選の結果を当該変動の結果として停止する図柄で示すと共に、複数のリーチモードを表示可能な遊戯機において、前記複数のリーチモードの各々の選択確率が他のいずれとも同一でない複数の選択条件の内、設定された１つの選択条件に基づいて１つのリーチモードを選択する選択手段と、所定条件が成立したときに、前記複数の選択条件から１つの選択条件を選択して前記リーチモードを選択するための選択条件として設定する設定手段とを備え、前記リーチモードには、大当たりとなる際の図柄変動のときも、外れとなる際の図柄変動のときも、出現可能であるリーチモードを含むことを特徴とする遊戯機。
　【請求項２】　始動入賞口への入賞又は通過により、大当たりか外れかの抽選を行う場合に、図柄を変動させ、前記抽選の結果を当該変動の結果として停止する図柄で示すと共に、複数のリーチモードを表示可能な遊戯機において、前記複数のリーチモードの各々の選択確率が他のいずれとも同一でない複数の選択条件の内、設定された１つの選択条件に基づいて１つのリーチモードを選択する選択手段と、所定条件が成立したときに、前記複数の選択条件から１つの選択条件を選択して前記リーチモードを選択するための選択条件として設定する設定手段とを備え、前記設定手段が、抽選の結果が外れとなる全てのリーチモードを前記１つの選択条件で振り分けるときの振り分け率の合計が１００％となる単一構成の外れリーチモード選択用テーブルと、抽選の結果が大当たりとなる全てのリーチモードを前記１つの選択条件で振り分けるときの振り分け率の合計が１００％となる単一構成の大当たりリーチモード選択用テーブルと、を備えることを特徴とする遊戯機。
　【請求項３】　前記選択条件が、リーチモード選択用乱数であることを特徴とする請求項２記載の遊戯機。
　【請求項４】　前記抽選の結果、予め設定した特定の図柄で大当たりした場合に、前記外れリーチモード選択用テーブル及び大当たりリーチモード選択用テーブルを変更することを特徴とする請求項２又は請求項３記載の遊戯機。」
から、
　
「【請求項１】　始動入賞口への入賞又は通過により、大当たりか外れかの抽選を行う場合に、図柄を変動させ、前記抽選の結果を当該変動の結果として停止する図柄で示すと
とも
　前記複数のリーチモードの各々の選択確率が他のいずれとも同一でない複数の選択条件の内、設定された１つの選択条件に基づいて１つのリーチモードを選択する選択手段と、
　所定条件が成立したときに、前記複数の選択条件から１つの選択条件を選択して前記リーチモードを選択するための選択条件として設定する設定手段
と備
　前記設定手段が、抽選の結果が外れとなる全てのリーチモードを前記１つの選択条件で振り分けるときの振り分け率の合計が１００％となる単一構成の外れリーチモード選択用テーブルと、抽選の結果が大当たりとなる全てのリーチモードを前記１つの選択条件で振り分けるときの振り分け率の合計が１００％となる単一構成の大当たりリーチモード選択用テーブルと、を
各設定毎に対応して
と共に、
　
前記選択手段は、
　外れリーチとなった場合には、前記設定手段が設定した選択条件に対応する前記外れリーチモード選択用テーブルと当該外れリーチモード選択用テーブルからリーチモードを決定することとなる単一のリーチモード選択用乱数によりリーチモードを選択し、
　大当たりリーチとなった場合には、前記設定手段が設定した選択条件に対応する前記大当たりリーチモード選択用テーブルと当該大当たりリーチモード選択用テーブルからリーチモードを決定することとなる単一のリーチモード選択用乱数によりリーチモードを選択するように構成され、
　前記複数のリーチモードの中の１つのリーチモードが発生した場合に大当たりとなる期待値が、前記外れリーチモード選択用テーブルと前記リーチモード選択用乱数により決定される当該リーチモードの振り分け率と、前記大当たりリーチモード選択用テーブルと前記リーチモード選択用乱数による当該リーチモードの振り分け率と、全ての変動に対する外れとなるリーチが発生する確率と、すべての変動に対する大当たりとなるリーチが発生する確率とによって決定されると共に、
　前記設定手段により設定された選択条件が変化した場合に、前記期待値が変化するように構成された
へと補正された。
　
　本件補正は、次の補正事項１〜３を含むものである。
＜補正事項１＞
　平成１９年４月２７日付手続補正書の請求項１及び請求項３並びに請求項４を削除して請求項２を新たな請求項１とした補正。
＜補正事項２＞
　新たな請求項１において、「選択手段」を、「外れリーチとなった場合には、前記設定手段が設定した選択条件に対応する前記外れリーチモード選択用テーブルと当該外れリーチモード選択用テーブルからリーチモードを決定することとなる単一のリーチモード選択用乱数によりリーチモードを選択し、大当たりリーチとなった場合には、前記設定手段が設定した選択条件に対応する前記大当たりリーチモード選択用テーブルと当該大当たりリーチモード選択用テーブルからリーチモードを決定することとなる単一のリーチモード選択用乱数によりリーチモードを選択するように構成」されるように限定した補正。
＜補正事項３＞
　新たな請求項１において、「前記複数のリーチモードの中の１つのリーチモードが発生した場合に大当たりとなる期待値が、前記外れリーチモード選択用テーブルと前記リーチモード選択用乱数により決定される当該リーチモードの振り分け率と、前記大当たりリーチモード選択用テーブルと前記リーチモード選択用乱数による当該リーチモードの振り分け率と、全ての変動に対する外れとなるリーチが発生する確率と、すべての変動に対する大当たりとなるリーチが発生する確率とによって決定される」点を追加した補正。
　
　上記補正事項１については、平成１８年法律第５５号による改正前の特許法第１７条の２第４項第１号に規定する第三十六条第五項に規定する請求項の削除を目的としたものに該当する。
　上記補正事項２については、発明特定事項の上位概念から下位概念への変更に当たり、同法第１７条の２第４項第２号に規定する「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」を目的としたものに該当する。
　しかし、上記補正事項３については、本件補正前の【請求項２】に記載されている発明特定事項を概念的に下位にしたものではなく、発明特定事項の限定であるとは言えない。したがって、本件補正により特許請求の範囲についてした補正は、同法第１７条の２第４項第２号に規定する「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」を目的としたものに該当しない。また、上記補正事項３が、同項第１号、第３号、第４号の、請求項の削除、誤記の訂正、及び明りょうでない記載の釈明のいずれを目的とするものでもないことは明らかである。
　したがって本件補正は、同法第１７条の２第４項に規定する要件を満たしておらず、同法第１５９条第１項において読み替えて準用する同法第５３条第１項の規定により却下すべきものである。
　
　以下は、本件補正が、上記補正事項２のように、請求項の限定的減縮を目的とする補正事項を含んでいることから、本件補正後の請求項１に記載された発明（以下、「本願補正発明」という。）が特許出願の際に独立して特許を受けることができるものであるか（上記改正前の特許法第１７条の２第５項において準用する同法１２６条第５項の規定に適合するか）否かについても検討したものである。　
　
　
【２】独立特許要件の適否
［１］引用発明
　原査定の拒絶理由に引用された、平成８年５月２８日に頒布された刊行物である引用例（特開平８−１３１６２２号公報）には、以下の事項が図面とともに記載されている。
　
（ア）「【特許請求の範囲】【請求項１】  複数の識別情報を複数列の可変表示部にて可変表示すると共に、これら複数列の可変表示部の表示結果が予め定めた組合せとなったときに特定の遊技価値を付与し得る可変表示装置を備えた弾球遊技機において、リーチ時、通常時の変動態様と異なる複数種類のリーチ態様のうち何れか１つの態様にて最終停止する可変表示部の変動を制御するリーチ変動制御手段と、所定の遊技履歴を計数する遊技履歴計数手段と、を備え、前記リーチ変動制御手段による複数種類のリーチ態様の出現率を前記遊技履歴計数手段による遊技履歴の計数値に応じて種々設定することを特徴とする弾球遊技機。」（第２頁１欄１〜１４行）
（イ）「【００１３】・・・打玉が普通可変入賞球装置４に入賞して始動玉検出器７をＯＮさせると、可変表示装置３０が変動を開始し、一定時間が経過すると、例えば右・左・中の順で特別図柄が確定され、その確定された図柄の組み合せが所定の大当り組合せ（同一図柄のゾロ目）となったときに特定遊技状態（大当り遊技状態ともいう）となる。」（第３頁４欄４２〜４９行）
（ウ）「【００２２】・・・可変表示装置３０では、図１２に示すような５種類のランダム数が使用されており、これらのランダム数は、大当り決定用のランダム１（０〜１３２）と、リーチ種別決定用のランダム２（０〜２９）と、左図柄表示用のランダム３（０〜１０）と、中図柄表示用のランダム４（０〜１０）と、右図柄表示用のランダム５（０〜１０）と、から構成されている。」（第５頁８欄１９〜３０行）
（エ）「【００２３】・・・ランダム１から抽出された値が「７」のときは、大当りと判定してランダム４での抽出値に基づく図柄を大当り図柄として可変表示装置３０の各特別図柄表示部３３ａ〜３３ｃに表示する。一方、ランダム１から抽出された値が「７」以外のときは、外れと判定して各ランダム３・４・５での抽出値に基づく図柄を外れ図柄として可変表示装置３０の各特別図柄表示部３３ａ〜３３ｃに表示する。」（第５頁８欄３８〜４５行）
（オ）「【００２７】次に、リーチして大当り図柄の前後以外で外れとなる図柄列の変動を図１５のタイムチャートに基づいて説明する。図１５において、普通可変入賞球装置４（図１５中には、始動入賞口と記載）に打玉が入賞して始動玉検出器７がＯＮされ始動信号を導出すると、その始動信号の立ち上がり時にランダム１からランダム数を抽出してこれらを格納する。その後、・・・格納したランダム１の値を読み出して外れを判定し、それと同時に各ランダム３・４・５の値を抽出すると共にランダム２の値を抽出する。その後、・・・変動パターンＡにて左・中・右の全図柄列の変動を開始させる。」（第６頁９欄４７行〜１０欄９行）
（カ）「【００２８】そして、上記のような変動開始から６．５００秒が経過すると、右図柄列に対しては、・・・０．８００秒間変動パターンＢにて変動させ、その後ランダム５で抽出した値の図柄を停止表示させる。左図柄列に対しては、変動開始から７．３００秒が経過すると、・・・０．８００秒間変動パターンＢにて変動させ、その後ランダム３で抽出した値の図柄を停止表示させる。なお、この時点で、左・右の各図柄によってリーチ図柄が構成されているものである。」（第６頁１０欄１０〜２０行）
（キ）「【００２９】また、中図柄列のリーチ変動においては、２種類の変動制御のうち抽出されたランダム２データに応じたものが行われるが、このリーチ変動の種類を決定するランダム２データは、後述するような設定１〜４（図１８参照）毎のデータ範囲ａ・ｂとして設定されている。即ち、中図柄列に対しては、ランダム２データがデータ範囲ａ内の場合、変動開始から８．１００秒が経過すると、リーチ図柄にセットして４．２１０秒〜８．４２１秒間変動パターンＣにて変動させ、その後ランダム４で抽出した値の図柄を停止表示させる。一方、ランダム２データがデータ範囲ｂ内の場合では、変動開始から８．１００秒が経過すると、リーチ図柄にセットして８．４２１秒〜１５．７６９秒間変動パターンＣにて変動させ、その後ランダム４で抽出した値の図柄を停止表示させる。これにより、左・中・右の各図柄列には、各ランダム３・４・５で決定した外れ図柄が表示される。」（第６頁１０欄２１〜３６行）
（ク）「【００３０】次に、リーチして大当り図柄の前後で外れとなる図柄列の変動を図１６のタイムチャートに基づいて説明する。図１６において、普通可変入賞球装置４（図１６中には、始動入賞口と記載）に打玉が入賞して始動玉検出器７がＯＮされ始動信号を導出すると、その始動信号の立ち上がり時にランダム１からランダム数を抽出してこれらを格納する。その後、・・・格納したランダム１の値を読み出して外れを判定し、それと同時に各ランダム３・４・５の値を抽出すると共にランダム２の値を抽出する。その後、・・・変動パターンＡにて左・中・右の全図柄列の変動を開始させる。」（第６頁１０欄４９行〜第７頁１１欄１１行）
（ケ）「【００３１】そして、上記のような変動開始から６．５００秒が経過すると、右図柄列に対しては、・・・０．８００秒間変動パターンＢにて変動させ、その後ランダム５で抽出した値の図柄を停止表示させる。左図柄列に対しては、変動開始から７．３００秒が経過すると、・・・０．８００秒間変動パターンＢにて変動させ、その後ランダム３で抽出した値の図柄を停止表示させる。なお、この時点で、左・右の各図柄によってリーチ図柄が構成されているものである。」（第７頁１１欄１２〜２２行）
（コ）「【００３２】また、中図柄列のリーチ変動は、前述のリーチ変動と同様に複数種類（３種類）の変動制御のうち抽出されたランダム２データに応じたものが行われ、データ範囲ｃ・ｄ・ｅ（図１８参照）が設定されている。即ち、中図柄列に対しては、ランダム２データがデータ範囲ｃ内の場合、変動開始から８．１００秒が経過すると、リーチ図柄にセットして４．２１０秒〜８．４２１秒間変動パターンＣにて変動させ、その後ランダム４で抽出した値の図柄を停止表示させる。ランダム２データがデータ範囲ｄ内の場合では、変動開始から８．１００秒が経過すると、リーチ図柄にセットして８．４２１秒〜１５．７６９秒間変動パターンＣにて変動させ、その後ランダム４で抽出した値の図柄を停止表示させる。また、ランダム２データがデータ範囲ｅ内の場合では、変動開始から８．１００秒が経過すると、リーチ図柄にセットして１０．９４７秒〜２０．５００秒間変動パターンＣにて変動させ、その後ランダム４で抽出した値の図柄を停止表示させる。これにより、左・中・右の各図柄列には、各ランダム３・４・５で決定した外れ図柄が表示される。」（第７頁１１欄２３〜４２行）
（サ）「【００３３】次に、・・・大当りとなる図柄列の変動を図１７のタイムチャートに基づいて説明する。図１７において、普通可変入賞球装置４（図１７中には、始動入賞口と記載）に打玉が入賞して始動玉検出器７がＯＮされ始動信号を導出すると、その始動信号の立ち上がり時にランダム１からランダム数を抽出してこれらを格納する。その後、・・・格納したランダム１の値を読み出して大当りを判定し、それと同時に各ランダム３・４・５の値を抽出すると共にランダム２の値を抽出する。その後、・・・変動パターンＡにて左・中・右の全図柄列の変動を開始させる。」（第７頁１２欄４〜１６行）
（シ）「【００３４】そして、上記のような変動開始から６．５００秒が経過すると、右図柄列に対しては、・・・０．８００秒間変動パターンＢにて変動させ、その後ランダム４で抽出した値の図柄を停止表示させる。左図柄列に対しては、変動開始から７．３００秒が経過すると、・・・０．８００秒間変動パターンＢにて変動させ、その後ランダム４で抽出した値の図柄を停止表示させる。なお、この時点で、左・右の各図柄によってリーチ図柄が構成されているものである。」（第７頁１２欄１７〜２７行）
（ス）「【００３５】また、中図柄列のリーチ変動は、前述のリーチ変動と同様に複数種類（２種類）の変動制御のうち抽出されたランダム２データに応じたものが行われ、データ範囲ｆ・ｇ（図１８参照）が設定されている。即ち、中図柄列に対しては、ランダム２データがデータ範囲ｆ内の場合、変動開始から８．１００秒が経過すると、リーチ図柄にセットして８．４２１秒〜１５．７６９秒間変動パターンＣにて変動させ、その後ランダム４で抽出した値の図柄を停止表示させる。一方、ランダム２データがデータ範囲ｇ内の場合では、変動開始から８．１００秒が経過すると、リーチ図柄にセットして８．４２１秒〜１５．７６９秒間変動パターンＣにて変動させ、その後ランダム４で抽出した値の図柄を停止表示させる。これにより、左・中・右の各図柄列には、ランダム４で決定した大当り図柄が表示される。なお、上記した中図柄列のリーチ変動では、各種の変動制御を差別的に強調するため、ランダム２データがデータ範囲ｆ内のときには背景表示Ｄを、またランダム２データがデータ範囲ｇ内のときには背景表示Ｅを行うようになっている。よって、ランダム２に応じて背景表示Ａ〜Ｅの５種類のリーチ動作の中から１つ選ばれ行われるが、上記のようなリーチ動作に限らず、例えば最終停止の大当り該当図柄を含む前後図柄のみ低速変動し変速回転するリーチ動作や、最終停止図柄が大当り図柄から１図柄過ぎた位置で一旦停止し、正逆回転して停止するリーチ動作や、全図柄が変動して一斉に停止するリーチ動作等、表示内容、変動速度、変動時間、停止タイミング、リーチ効果音等、何れか１つ以上を変えたり、組合せたりして多種のリーチ動作を設け、上記したリーチ動作に変えて行ってもよい。」（第７頁１２欄２８行〜第８頁１３欄７行）
（セ）「【００３６】ところで、上記した中図柄列のリーチ変動（リーチ態様）における各データ範囲ａ〜ｇは、図１８に示すように、各設定１〜４毎に変えて設定されている。設定１〜４は、それぞれ遊技履歴の計数値としての始動回数Ｓ（始動玉検出器７での入賞玉の検出回数）毎に分けられており、設定１はＳ≦４９、設定２は５０≦Ｓ≦９９、設定３は１００≦Ｓ≦１４９、設定４は１５０≦Ｓ、となっている。そして、例えば、リーチして大当り図柄の前後以外で外れとなる中図柄列の変動では、設定１（Ｓ≦４９）において、ランダム２データが「０〜２６（９０％）」のときをデータ範囲ａとする一方、ランダム２データが「２７〜２９（１０％）」のときをデータ範囲ｂとし、また設定２（５０≦Ｓ≦９９）においては、ランダム２データが「０〜２３（８０％）」のときをデータ範囲ａとする一方、ランダム２データが「２４〜２９（２０％）」のときをデータ範囲ｂとする等、始動回数Ｓ（遊技履歴の計数値）の変化に応じて複数種類のリーチ態様の出現率を変更するようになっている。」（第８頁１３欄１４〜３２行）
（ソ）【００３７】以上のように、本実施例の遊技機では、複数種類のリーチ態様の出現率を始動回数Ｓに応じて種々設定するので、始動回数Ｓ毎にリーチ態様の出現率が変更されて遊技内容の多様化が招来でき、ひいては遊技の興趣を向上している。なお、本実施例では、遊技履歴の計数値を始動回数Ｓとしているが、特にこれに限定するものではなく、リーチ回数、大当り回数、差玉数、確率変動、特定遊技状態の発生、あるいは遊技の経過時間等であっても良く・・・。・・・また、本実施例中においては、遊技履歴の計数値が所定値となった場合に、出現率を記憶している複数のテーブルのうち予め定められた順序でその中の１つのテーブルを選択しているが、乱数選択手段（図示しない）により、抽出した乱数値に対応していずれかのテーブルを選択するようにしてもよい。」（第８頁１３欄３５行〜１４欄２行）
（タ）図１８には、各設定１〜４におけるデータ範囲ａ・ｂの振り分け率の合計、データ範囲ｃ・ｄ・ｅの振り分け率の合計及びデータ範囲ｆ・ｇの振り分け率の合計をそれぞれ１００％とした点が記載されている。
　
　上記（ア）〜（タ）に摘示した事項によれば、引用例には、以下の発明（以下、「引用発明」という。）が記載されている。
「始動入賞口に打玉が入賞して始動玉検出器７がＯＮされ始動信号を導出すると、ランダム数を抽出して大当りか外れかを判定し、その後、左・中・右の全図柄列の変動を開始させ、大当りと判定した場合には大当り図柄を、外れと判定した場合には外れ図柄を停止表示するとともに、複数種類のリーチ変動の変動パターンを備えた弾球遊技機において、
　リーチして大当り図柄の前後以外で外れとなる図柄列の変動は、始動信号の立ち上がり時にランダム１から抽出したランダム数を読み出して外れを判定すると同時に、設定１〜４毎のデータ範囲ａ・ｂとして設定されているリーチ種別決定用のランダム２の値を抽出し、その後、変動パターンＡにて左・中・右の全図柄列の変動を開始させ、右図柄列は変動開始から６．５００秒が経過すると０．８００秒間変動パターンＢにて変動させた後停止表示させ、左図柄列は変動開始から７．３００秒が経過すると０．８００秒間変動パターンＢにて変動させた後停止表示させ、中図柄列に対しては、ランダム２データが前記データ範囲ａ内の場合、変動開始から８．１００秒が経過すると、リーチ図柄にセットして４．２１０秒〜８．４２１秒間変動パターンＣにて変動させた後図柄を停止表示させ、一方、前記ランダム２データが前記データ範囲ｂ内の場合、変動開始から８．１００秒が経過すると、リーチ図柄にセットして８．４２１秒〜１５．７６９秒間変動パターンＣにて変動させた後図柄を停止表示させるようにし、
　リーチして大当り図柄の前後で外れとなる図柄列の変動は、始動信号の立ち上がり時に前記ランダム１から抽出したランダム数を読み出して外れを判定すると同時に、設定１〜４毎のデータ範囲ｃ・ｄ・ｅとして設定されているリーチ種別決定用の前記ランダム２の値を抽出し、その後、変動パターンＡにて左・中・右の全図柄列の変動を開始させ、右図柄列は変動開始から６．５００秒が経過すると０．８００秒間変動パターンＢにて変動させた後停止表示させ、左図柄列は変動開始から７．３００秒が経過すると０．８００秒間変動パターンＢにて変動させた後停止表示させ、中図柄列に対しては、ランダム２データが前記データ範囲ｃ内の場合、変動開始から８．１００秒が経過すると、リーチ図柄にセットして４．２１０秒〜８．４２１秒間変動パターンＣにて変動させた後図柄を停止表示させ、前記ランダム２データが前記データ範囲ｄ内の場合では、変動開始から８．１００秒が経過すると、リーチ図柄にセットして８．４２１秒〜１５．７６９秒間変動パターンＣにて変動させた後図柄を停止表示させ、前記ランダム２データが前記データ範囲ｅ内の場合では、変動開始から８．１００秒が経過すると、リーチ図柄にセットして１０．９４７秒〜２０．５００秒間変動パターンＣにて変動させた後図柄を停止表示させるようにし、
　リーチして大当りとなる図柄列の変動は、始動信号の立ち上がり時に前記ランダム１から抽出したランダム数を読み出して大当りを判定すると同時に、設定１〜４毎のデータ範囲ｆ・ｇとして設定されているリーチ種別決定用の前記ランダム２の値を抽出し、その後、変動パターンＡにて左・中・右の全図柄列の変動を開始させ、右図柄列は変動開始から６．５００秒が経過すると０．８００秒間変動パターンＢにて変動させた後停止表示させ、左図柄列は変動開始から７．３００秒が経過すると０．８００秒間変動パターンＢにて変動させた後停止表示させ、中図柄列に対しては、前記ランダム２データが前記データ範囲ｆ内の場合、変動開始から８．１００秒が経過すると、リーチ図柄にセットして８．４２１秒〜１５．７６９秒間変動パターンＣにて変動させた後図柄を停止表示させ、前記ランダム２データが前記データ範囲ｇ内の場合では、変動開始から８．１００秒が経過すると、リーチ図柄にセットして８．４２１秒〜１５．７６９秒間変動パターンＣにて変動させた後図柄を停止表示させ、また、ランダム２データがデータ範囲ｆ内のときには背景表示Ｄを、またランダム２データがデータ範囲ｇ内のときには背景表示Ｅを行うが、それらリーチ動作に限らず、例えば最終停止の大当り該当図柄を含む前後図柄のみ低速変動し変速回転するリーチ動作や、最終停止図柄が大当り図柄から１図柄過ぎた位置で一旦停止し、正逆回転して停止するリーチ動作や、全図柄が変動して一斉に停止するリーチ動作等、表示内容、変動速度、変動時間、停止タイミング等の何れか１つ以上を変えたり、組合せたりして多種のリーチ動作を設けて、上記のリーチ動作に変えて行ってもよいものとし、
　中図柄列のリーチ変動における前記各データ範囲ａ〜ｇは前記各設定１〜４毎に変えて設定され、前記各設定１〜４はそれぞれ始動回数Ｓ毎に分けられ、前記各設定１〜４におけるデータ範囲ａ・ｂの振り分け率の合計、データ範囲ｃ・ｄ・ｅの振り分け率の合計及びデータ範囲ｆ・ｇの振り分け率の合計をそれぞれ１００％として、
　始動回数Ｓ毎にリーチ態様の出現率が変更されるようにした弾球遊技機。」
　
［２］本願補正発明について
（１）本願補正発明と引用発明との対比
（ア）本願補正発明と引用発明とを対比すると、引用発明の「弾球遊技機」、「リーチ動作」は、本願補正発明の「遊戯機」、「リーチモード」に、 それぞれ相当する。
　
（イ）引用発明の「弾球遊技機」（遊戯機）は、「始動入賞口に打玉が入賞して始動玉検出器７がＯＮされ始動信号を導出すると、ランダム数を抽出して大当りか外れかを判定し、その後、左・中・右の全図柄列の変動を開始させ、大当りと判定した場合には大当り図柄を、外れと判定した場合には外れ図柄を停止表示するとともに、複数種類のリーチ変動の変動パターンを備えた」ものであるのだから、表現上の差異はあるものの、引用発明が、本願補正発明において「始動入賞口への入賞又は通過により、大当たりか外れかの抽選を行う場合に、図柄を変動させ、前記抽選の結果を当該変動の結果として停止する図柄で示すとともに、複数のリーチモードを表示可能」とした構成を備えたものであることは、当業者にとって自明である。
　
（ウ）上記第２．【２】［１］に示した引用発明は、下記（ａ）〜（ｄ）の構成を備えたものであると言える。
（ａ）「リーチして大当り図柄の前後以外で外れとなる」場合、「リーチして大当り図柄の前後で外れとなる」場合又は「リーチして大当りとなる」場合には、それぞれの場合に対応した「データ範囲ａ・ｂ」、「データ範囲ｃ・ｄ・ｅ」又は「データ範囲ｆ・ｇ」のいずれかにおいて「リーチ種別決定用のランダム２の値を抽出」することで、抽出した値のデータ範囲に対応する「リーチ動作」（リーチモード）を行うようにしている。
（ｂ）「リーチ動作」（リーチモード）が、データ範囲ａとｂとの間、データ範囲ｃとｄとｅとの間、データ範囲ｅとｆとの間でそれぞれ異なるようにしている。
（ｃ）「各データ範囲ａ〜ｇ」が「各設定１〜４毎に変えて設定され」ており、「各設定１〜４はそれぞれ始動回数Ｓ毎に分けられ」ている。
（ｄ）「各設定１〜４におけるデータ範囲ａ・ｂの振り分け率の合計、データ範囲ｃ・ｄ・ｅの振り分け率の合計及びデータ範囲ｆ・ｇの振り分け率の合計」は、それぞれが「１００％」とされている。
　
　（ウ−１）上記した（ａ）、（ｂ）、（ｃ）等に基づけば、引用発明は、リーチ種別決定用のランダム２の値を抽出することで抽出した値のデータ範囲に対応するリーチモードを行う際の、前記各データ範囲（データ範囲ａ・ｂ、データ範囲ｃ・ｄ・ｅ又はデータ範囲ｆ・ｇ）を、各設定１〜４毎に変えて設定することにより、前記値と前記リーチモードとの“対応関係”（本願補正発明の、「選択条件」に対応する。）を、「複数のリーチモードの各々の選択確率が他のいずれとも同一でない」ように、各設定毎に「複数」用意するとともに、「１つの選択条件に基づいて１つのリーチモードを選択する」ようにしているものであると言い換えることが可能であり、さらに、前記したように「選択する」ためには、その手段である「選択手段」を備えることは自明である。
　（ウ−２）また、上記した（ａ）、（ｃ）等と、上記（ウ−１）に説示した事項に基づけば、引用発明は、所定条件が成立したとき（どのようなリーチとなるかが決定したとき）に、（リーチ後の図柄の並びの態様と始動回数Ｓに応じて）「１つの選択条件を選択してリーチモードを選択するための選択条件として設定」するものであるということができ、さらに、前記したように「設定する」ためには、その手段である「設定手段」を備えることは自明である。
　（ウ−３）そして、上記した（ａ）、（ｄ）等と、上記（ウ−２）に説示した事項に基づけば、引用発明の「設定手段」は、各設定１〜４において、大当り図柄の前後以外で外れとなるリーチモードに対応するデータ範囲を１つの選択条件を選択して振り分けるときの振り分け率の合計が１００％となるように設定し、大当り図柄の前後で外れとなるリーチモードに対応するデータ範囲を１つの選択条件を選択して振り分けるときの振り分け率の合計が１００％となるように設定し、大当りとなるリーチモードに対応するデータ範囲を１つの選択条件を選択して振り分けるときの振り分け率の合計が１００％となるように設定したものであると言い換えることが可能であり、さらに、前記したような設定を可能とするためには、引用発明が、各設定１〜４において、それぞれのデータ範囲に対応した「テーブル」（リーチモード選択用テーブル）を備えるものであることが自明である。即ち、引用発明は、「設定手段が、抽選の結果が大当たり図柄の前後以外で外れとなる全てのリーチモードを１つの選択条件で振り分けるときの振り分け率の合計が１００％となる単一構成の外れリーチモード選択用テーブルと、抽選の結果が大当たり図柄の前後で外れとなる全てのリーチモードを前記１つの選択条件で振り分けるときの振り分け率の合計が１００％となる前記外れリーチモード選択用テーブルとは別の単一構成の外れリーチモード選択用テーブルと、抽選の結果が大当たりとなる全てのリーチモードを前記１つの選択条件で振り分けるときの振り分け率の合計が１００％となる単一構成の大当たりリーチモード選択用テーブルと、を各設定毎に対応して備える」構成を備えたものであると言うことができ、本願補正発明とは、「前記設定手段が、抽選の結果が大当たりとなる全てのリーチモードを前記１つの選択条件で振り分けるときの振り分け率の合計が１００％となる単一構成の大当たりリーチモード選択用テーブルを各設定毎に対応して備える」点で共通する。
　
（エ）引用発明は、上記（ウ−１）に説示したように、複数のリーチモードの各々の選択確率が他のいずれとも同一でない複数の選択条件が設けられ、１つの選択条件に基づいて１つのリーチモードを選択するための手段である選択手段を備えたものであり、上記（ウ−２）に説示したように、所定条件が成立したときに、１つの選択条件を選択してリーチモードを選択するための選択条件として設定する設定手段を備えたものであり、上記（ウ−３）に説示したように、設定手段が、抽選の結果が大当たり図柄の前後以外で外れとなる全てのリーチモードを１つの選択条件で振り分けるときの振り分け率の合計が１００％となる単一構成の外れリーチモード選択用テーブルと、抽選の結果が大当たり図柄の前後で外れとなる全てのリーチモードを前記１つの選択条件で振り分けるときの振り分け率の合計が１００％となる前記外れリーチモード選択用テーブルとは別の単一構成の外れリーチモード選択用テーブルと、抽選の結果が大当たりとなる全てのリーチモードを前記１つの選択条件で振り分けるときの振り分け率の合計が１００％となる単一構成の大当たりリーチモード選択用テーブルと、を各設定毎に対応して備えたものである。さらに、上記（ウ）（ａ）に示した引用発明の「リーチ種別決定用のランダム２」は、抽出された値により「リーチ動作」（リーチモード）が決定するものであるから、本願補正発明の「リーチモード選択用乱数」に相当するものである。
　即ち、引用発明は、その「選択手段」が、（大当たり図柄の前後以外で外れとなるリーチとなった場合には）設定手段が各設定毎に備える外れリーチモード選択用テーブルからリーチモードを決定することになるリーチモード選択用乱数によりリーチモードを選択し、（大当たり図柄の前後で外れとなるリーチとなった場合には）設定手段が各設定毎に備える別の外れリーチモード選択用テーブルからリーチモードを決定することになるリーチモード選択用乱数によりリーチモードを選択し、（大当たりとなるリーチとなった場合には）設定手段が各設定毎に備える大当たりリーチモード選択用テーブルからリーチモードを決定することになるリーチモード選択用乱数によりリーチモードを選択するよう構成されたものであると言うことができ、本願補正発明とは、「大当たりリーチとなった場合には、大当たりリーチモード選択用テーブルからリーチモードを決定することとなる単一のリーチモード選択用乱数によりリーチモードを選択するように構成され」た点で共通すると言える。
　
（オ）そうすると、上記（ア）〜（エ）に説示した事項により、本願補正発明と引用発明とは、
「始動入賞口への入賞又は通過により、大当たりか外れかの抽選を行う場合に、図柄を変動させ、前記抽選の結果を当該変動の結果として停止する図柄で示すとともに、複数のリーチモードを表示可能な遊戯機において、
　前記複数のリーチモードの各々の選択確率が他のいずれとも同一でない複数の選択条件の内、設定された１つの選択条件に基づいて１つのリーチモードを選択する選択手段と、
　所定条件が成立したときに、前記複数の選択条件から１つの選択条件を選択して前記リーチモードを選択するための選択条件として設定する設定手段と備え、
　前記設定手段が、抽選の結果が大当たりとなる全てのリーチモードを前記１つの選択条件で振り分けるときの振り分け率の合計が１００％となる単一構成の大当たりリーチモード選択用テーブルを各設定毎に対応して備えると共に、
　前記選択手段は、
　大当たりリーチとなった場合には、大当たりリーチモード選択用テーブルからリーチモードを決定することとなる単一のリーチモード選択用乱数によりリーチモードを選択するように構成された遊戯機。」
の点で実質的に一致すると言え、以下の点で相違する。
　
＜相違点＞
　相違点Ａ．本願補正発明は、設定手段が、抽選の結果が外れとなる全てのリーチモードを前記１つの選択条件で振り分けるときの振り分け率の合計が１００％となる単一構成の外れリーチモード選択用テーブルを各設定毎に対応して備え、選択手段が、外れリーチとなった場合には、当該外れリーチモード選択用テーブルからリーチモードを決定することとなる単一のリーチモード選択用乱数によりリーチモードを選択するようにしているのに対し、引用発明は、外れリーチモード選択用テーブルを（外れの態様に合わせて）２つに分けて設けたものである点。
　相違点Ｂ．本願補正発明において、（外れ又は大当たり）リーチとなった場合のリーチモードを選択するための（外れ又は大当たり）リーチモード選択用テーブルの選択は「選択手段」が行うが、引用発明においては何が行うかが明らかでない点。
　相違点Ｃ．本願補正発明は、「前記複数のリーチモードの中の１つのリーチモードが発生した場合に大当たりとなる期待値が、前記外れリーチモード選択用テーブルと前記リーチモード選択用乱数により決定される当該リーチモードの振り分け率と、前記大当たりリーチモード選択用テーブルと前記リーチモード選択用乱数による当該リーチモードの振り分け率と、全ての変動に対する外れとなるリーチが発生する確率と、すべての変動に対する大当たりとなるリーチが発生する確率とによって決定される」構成を備えたものであるのに対し、引用発明においては前記構成について明らかでない点。
　相違点Ｄ．本願補正発明が、「前記設定手段により設定された選択条件が変化した場合に、前記期待値が変化する」構成を備えたものであるのに対し、引用発明は、「始動回数Ｓ毎にリーチ態様の出現率が変更されるようにした」ものであるものの、前記構成を備えたものであるのか否かが明らかでない点。
　
（２）相違点についての判断
　まず、相違点Ａについて検討するに、引用発明は、遊技内容の多様化の招来を図ることを目的としたものであって、外れリーチの態様を大きく２つに分けたことに合わせて、外れリーチモード選択用テーブルも２つ設けたものであるが、２つに分けないで１つにする若しくは２つのうち１つを省くことにより、「単一構成」のものとして、相違点Ａに係る本願補正発明の構成の如くすることは、当業者にとって想到容易である。
　
　次に相違点Ｂについて検討するに、引用発明には明示されていないものの、リーチモードが選択されるリーチモード選択用テーブルの選択を、リーチモードを選択する手段（選択手段）にも併せて行わしめることは、コンピュータ制御において特段の創意を要する事項とは言えないから、上記したように、引用発明を相違点Ａに係る本願補正発明の構成の如くしたときに、外れリーチとなった場合又は大当たりリーチとなったそれぞれの場合で、外れリーチモード選択用テーブル又は大当たりリーチモード選択用テーブルを、選択手段が選択するようにすることは、当業者にとって想到容易である。
　
　続いて、相違点Ｃについて検討する。
　上記したように、引用発明における外れリーチモード選択用テーブルを単一構成のものとして、引用発明を、相違点Ａに係る本願補正発明の構成の如くした場合には、大当たりリーチモード選択用テーブルにおけるリーチモードの振り分け率と外れとなるリーチモード選択用テーブルにおけるリーチモードの振り分け率が予め決定することになることは明らかである。
　また、「全ての変動に対する大当たりとなるリーチが発生する確率」や「全ての変動に対する外れとなるリーチが発生する確率」については、本願補正発明においてこれらがどのようにして導出されたものであるのかが不明であり、本願の出願当初明細書の【発明の詳細な説明】欄にも特に明示的が説明がないため、出願当初明細書の段落【００８１】〜【００８６】の記載を参酌して、前者が、始動乱数値が大当たり値（例えば、「７」）となる確率のことであり、後者が、左図柄用、中図柄用及び右図柄用の各々の乱数から抽出した乱数値に基づいて左停止図柄＝中停止図柄になると判断されることになる確率のことであると解釈すると、これらは、上記第２．【２】［１］に示した引用例に記載された発明（引用発明）においても存在する若しくは導出され得るものである。
　上記相違点Ｃに係る本願補正発明の構成は、「複数のリーチモードの中の１つのリーチモードが発生した場合に大当たりとなる期待値」を算出する場合に必要な諸項目を説明的に列挙したものに過ぎないと言うことができるが、前記諸項目はいずれも、引用発明を上記したように相違点Ａに係る本願補正発明の構成の如くしたものにおいて特定できるものであり、そこにおいて、本願補正発明と同様にして前記「期待値」が計算され得ることは当業者にとって自明である。
　
　最後に、相違点Ｄについて検討するに、引用発明は、「始動回数Ｓ毎にリーチ態様の出現率が変更されるようにした」ものであって、「設定手段により設定された選択条件が変化した場合」に「リーチモード選択用乱数により決定される当該リーチモードの振り分け率」が変更されるようにしたものであると言い換えることができるから、この振り分け率が変更された場合には、当然に、上記した「期待値」が変化するものであると言える。
　
（３）本願補正発明の作用効果の検討
　そして、本願補正発明の作用効果は、引用発明に基づいて、当業者が当然予測できるものである。  
　
（４）むすび 
　したがって、本願補正発明は、引用発明に基づいて、当業者が容易に発明をすることができたものであり、特許法第２９条第２項の規定により特許を受けることができない。
　
　
［３］独立特許要件の適否のむすび
　以上のとおりであるから、本件補正は、平成１８年法律第５５号による改正前の特許法第１７条の２第５項において準用する同法第１２６条第５項の規定に違反するので、特許法第１５９条第１項の規定において読み替えて準用する同法第５３条第１項の規定により却下すべきものである。　
　
【３】補正の却下の決定のむすび
　よって、〔補正の却下の決定の結論〕のとおり決定する。
　
　
第３．本願発明について　　
【１】本願発明　
　平成１９年１０月２日付の手続補正が上記のとおり却下されているので、本願の請求項２に係る発明は、平成１９年４月２７日付の手続補正により補正された明細書及び図面の記載からみて、その特許請求の範囲の請求項２に記載された事項により特定される以下のとおりのものである（以下、「本願発明」という。）。　
「【請求項２】　始動入賞口への入賞又は通過により、大当たりか外れかの抽選を行う場合に、図柄を変動させ、前記抽選の結果を当該変動の結果として停止する図柄で示すと共に、複数のリーチモードを表示可能な遊戯機において、
　前記複数のリーチモードの各々の選択確率が他のいずれとも同一でない複数の選択条件の内、設定された１つの選択条件に基づいて１つのリーチモードを選択する選択手段と、
　所定条件が成立したときに、前記複数の選択条件から１つの選択条件を選択して前記リーチモードを選択するための選択条件として設定する設定手段とを備え、
　前記設定手段が、抽選の結果が外れとなる全てのリーチモードを前記１つの選択条件で振り分けるときの振り分け率の合計が１００％となる単一構成の外れリーチモード選択用テーブルと、抽選の結果が大当たりとなる全てのリーチモードを前記１つの選択条件で振り分けるときの振り分け率の合計が１００％となる単一構成の大当たりリーチモード選択用テーブルと、を備えることを特徴とする遊戯機。」
　
【２】特許法第２９条２項の適用
［１］引用発明　
　原査定の拒絶の理由で引用された引用例（特開平８−１３１６２２号公報）に記載の発明（引用発明）は、上記第２．【２】［１］に記載したとおりである。
　
［２］対比・判断
　本願発明は、本願補正発明において、遊戯機の設定手段が備える単一構成の外れリーチモード選択用テーブルと単一構成の大当たりリーチモード選択用テーブルとが、「各設定毎に対応し」たものであるとした限定事項と、遊戯機の選択手段が、「外れリーチとなった場合には、前記設定手段が設定した選択条件に対応する前記外れリーチモード選択用テーブルと当該外れリーチモード選択用テーブルからリーチモードを決定することとなる単一のリーチモード選択用乱数によりリーチモードを選択し、大当たりリーチとなった場合には、前記設定手段が設定した選択条件に対応する前記大当たりリーチモード選択用テーブルと当該大当たりリーチモード選択用テーブルからリーチモードを決定することとなる単一のリーチモード選択用乱数によりリーチモードを選択するようにした構成され」るものであるとした限定事項を省き、遊戯機が「前記複数のリーチモードの中の１つのリーチモードが発生した場合に大当たりとなる期待値が、前記外れリーチモード選択用テーブルと前記リーチモード選択用乱数により決定される当該リーチモードの振り分け率と、前記大当たりリーチモード選択用テーブルと前記リーチモード選択用乱数による当該リーチモードの振り分け率と、全ての変動に対する外れとなるリーチが発生する確率と、すべての変動に対する大当たりとなるリーチが発生する確率とによって決定されると共に、前記設定手段により設定された選択条件が変化した場合に、前記期待値が変化するように構成された」ものであるとした点を省くとともに、「停止する図柄で示すとともに」を「停止する図柄で示すと共に」とし、「設定手段と備え」を「設定手段とを備え」に書き換えたものである。
　そうすると、本願発明の構成要素を全て含むものに相当する本願補正発明が、上記第２．【２】［２］に説示したように、引用発明に基づいて、当業者が容易に発明をすることができたものであるから、本願発明も、同様の理由により、引用発明に基づいて、当業者が容易に発明をすることができたものである。
　
［３］むすび　
　以上のとおり、本願発明は、引用発明に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。